(57)【要約】      （修正有）【課題】安定した制動性能が得られると共に、効率良くメンテナンスが行えるスプール制動装置を備えた魚釣用リールを提供する。【解決手段】魚釣用リールは、リール本体に回転可能に設けたスプール７を有するスプール軸５の外周に軸方向に移動可能に支持された導電体２２を、スプール７の回転によってリール本体に設けた磁石２１の磁界内に進退させると共に、導電体２２を磁界から離れる方向のスプール側に向けて付勢する付勢部材２５を具備した磁気制動装置２０を有する。スプール軸５の外方に表面が平滑化された筒状部材５０を取着し、筒状部材５０の外周に導電体２２の基部２３を摺動可能に嵌合したことを特徴とする。【選択図】図２
2020188733.tif 000002
【特許請求の範囲】
【請求項１】
リール本体に回転可能に設けたスプールを有するスプール軸の外周に軸方向に移動可能に支持された導電体を、前記スプールの回転によって前記リール本体に設けた磁石の磁界内に進退させると共に、前記導電体を前記磁界から離れる方向の前記スプール側に向けて付勢する付勢部材を具備した磁気制動装置を有する魚釣用リールにおいて、
前記スプール軸の外方に表面が平滑化された筒状部材を取着し、前記筒状部材の外周に前記導電体の基部を摺動可能に嵌合したことを特徴とする魚釣用リール。
【請求項２】
前記筒状部材は、前記スプール軸に一体回転可能で、前記導電体と共にスプール軸から取り外し可能に取着されていることを特徴とする請求項１に記載の魚釣用リール。
【請求項３】
前記筒状部材と前記導電体の基部は、共に合成樹脂で形成されていることを特徴とする請求項１又は２に記載の魚釣用リール。
【請求項４】
前記筒状部材は、前記スプール軸に固着されるスプールの筒状支持部の外周に取着されることを特徴とする請求項１から３のいずれか１項に記載の両軸受型リール。
【発明の詳細な説明】
【技術分野】
【０００１】
本発明は、釣糸放出時において、スプールのフリー回転に対して制動力を付与するスプール制動装置を備えた魚釣用リールに関する。
【背景技術】
【０００２】
魚釣用リールの一形態である両軸受型リールは、クラッチ機構を備えており、クラッチの切り操作（クラッチＯＦＦ）でリール本体の側板間に支持したスプールをフリー回転可能とし、キャスティング操作によって釣糸（仕掛け）を所望のポイントに放出する。このような操作では、スプールの過回転で発生する釣糸のバックラッシュ現象を防止するために、リール本体内には、スプールのフリー回転に制動を付与するスプール制動装置（バックラッシュ防止装置）が組み込まれている。
【０００３】
一般的に、スプール制動装置は、例えば、特許文献１及び特許文献２に開示されているように、スプールの回転速度に応じてスプールと一体的に回転する導電体を側板内に設置された磁場発生部に向けて軸方向に進退可能とし、導電体に作用する磁力を自動調整してスプール回転を強弱制動するように構成されている。すなわち、特許文献１及び２に開示されたスプール制動装置は、共にスプールの回転速度に応じてバネ部材でスプール側に向けて付勢された導電体を、バネ部材の付勢力に抗してリール本体の側板内に設けた磁場発生部内における侵入量（磁力）を変化させることで、スプールに対する制動力を調整する構成（磁気によって制動力を付与する構成）となっている。
【０００４】
前記スプールと一体的に回転可能で軸方向移動する導電体は、樹脂製の支持部材に取着されており、前記支持部材は、金属製（主にステンレス材）のスプール軸の外周に摺動可能に嵌合されている。この場合、スプール軸の外周面には、切削加工によって挽目（微小な筋状の環状の凹凸）が生じているため、支持部材の移動をスムーズにして制動力を高精度に調整できるように、スプール軸の外周表面は、研磨作業を別工程で追加して鏡面状に仕上げている。
【先行技術文献】
【特許文献】
【０００５】
【特許文献１】特開平１０−３０９１５８号
【特許文献２】特開２０１３−１５８２９５号
【発明の概要】
【発明が解決しようとする課題】
【０００６】
ところで、魚釣用リールは、水（海水）、砂、塵埃などの異物が僅かな隙間から内部に侵入し易い非常に過酷な釣場状況で使用され、特に、水分を含んだ釣糸が巻回されて回転するスプールの軸部にこれらの異物が侵入・付着するケースが多く、導電体が摺動するスプール軸の外周がこの影響で腐食や傷の発生を誘発してしまう。このため、これが原因で導電体の摺動に支障を来してしまい、安定した制動性能が得られないという問題がある。
【０００７】
また、これらの問題を解決するために、新規部品と交換する場合、スプール及びスプールと一体回転するスプール軸をセットで交換する必要が生じてしまい、大変高価になると共に、その手間を含めるとメンテナンス性が劣るという問題がある。
【０００８】
本発明は、上記した問題に着目してなされたものであり、安定した制動性能が得られると共に、効率良くメンテナンスが行えるスプール制動装置を備えた魚釣用リールを提供することを目的とする。
【課題を解決するための手段】
【０００９】
上記した目的を達成するために、本発明は、リール本体に回転可能に設けたスプールを有するスプール軸の外周に軸方向に移動可能に支持された導電体を、前記スプールの回転によって前記リール本体に設けた磁石の磁界内に進退させると共に、前記導電体を前記磁界から離れる方向の前記スプール側に向けて付勢する付勢部材を具備した磁気制動装置を有する魚釣用リールにおいて、前記スプール軸の外方に表面が平滑化された筒状部材を取着し、前記筒状部材の外周に前記導電体の基部を摺動可能に嵌合したことを特徴とする。
【００１０】
上記した構成の魚釣用リールは、スプール軸の外方（径方向の外方）に、表面が平滑化された筒状部材が配設されており、この筒状部材に磁気制動装置の導電体の基部を軸方向に摺動させるようにしているため、異物の影響を受けることなく、導電体の摺動が良好となり、常時安定した制動性能が得られる。また、摺動性能が低下するなど、メンテナンスによって部品を交換する場合、筒状部材のみを交換するだけで済むため、メンテナンス性の向上が図れると共に、メンテナンス費用を安価にすることができる。さらに、スプール軸の外周、或いは、スプールの筒状支持部は、鏡面仕上げする必要もないので、製造工程が簡略化され、コストを低減することが可能となる。
【００１１】
なお、「表面が平滑化された」とは、一般的な切削加工によって生じるような挽目が生じていない平坦な状態を意味しており、筒状部材を、例えば、合成樹脂やセラミックス等の成型品で構成することで形成することが可能である。また、筒状部材は、スプール軸に対して取着しても良いし、スプールと一体形成され、スプール軸に固着される筒状支持部に対して取着して良い。すなわち、「スプール軸の外方」には、スプール軸の外周、及び、スプール軸に固着されるスプールの筒状支持部の外周が含まれる。
【発明の効果】
【００１２】
本発明によれば、安定した制動性能が得られると共に、効率良くメンテナンスが行えるスプール制動装置を備えた魚釣用リールが得られる。
【図面の簡単な説明】
【００１３】
【図１】本発明に係る魚釣用リール（両軸受型リール）の一実施形態を示す平面図。
【図２】図１の構成において、スプール軸に装着されるスプール制動装置の一部を示す図。
【図３】図２において、筒状部材が装着される部分を拡大して示した模式図。
【図４】本発明の第２実施形態を示す図であり、スプール軸に装着されるスプール制動装置の一部を示す図。
【図５】本発明の第３実施形態を示す図であり、スプール軸に装着されるスプール制動装置の一部を示す図。
【発明を実施するための形態】
【００１４】
以下、図面を参照しながら本発明に係る魚釣用リールの実施形態について説明する。  
図１は、本発明に係る魚釣用リール（両軸受型リール）の一実施形態を示す平面図、図２は、図１の構成において、スプール軸に装着されるスプール制動装置の一部を示す図である。
【００１５】
本実施形態に係る両軸受型リールは、左右のフレーム２ａ，２ｂを左右カバー３ａ，３ｂで覆った左右側板１Ａ，１Ｂを備えたリール本体１を有している。前記左右の側板間には、スプール軸５が軸受を介して回転可能に支持されており、スプール軸５には、釣糸が巻回されるスプール７が一体的に固定されている。このスプール軸５は、強度や耐食性を考慮して主にステンレス材等の金属材料によって形成されており、その表面については、鏡面処理がされていない状態となっている。
【００１６】
前記スプール７は、スプール軸５に外嵌され、軸方向に一定の長さを有する筒状支持部（スプール筒軸）７Ａと、釣糸が巻回される糸巻胴部７ａと、その左右両側に一体形成されるフランジ部７ｂと、糸巻胴部７ａの中央と筒状支持部７Ａとの間に一体形成される中央環状壁７ｃと、を備えており、釣糸は、左右のフランジ部７ｂに規制されて糸巻胴部７ａに巻回される。
【００１７】
前記スプール７は、軽量金属、例えば、アルミニウム、アルミニウム合金等によって形成されており、その表面には、耐食性を向上するようにアルマイト処理を施しても良い。それ以外にも、スプールは、マグネシウムやマグネシウム合金等、軽量な金属材料によって形成しても良い。このため、前記筒状支持部７Ａの表面には、図３の模式図で示すように、挽目（周方向に形成される環状の凹凸条：デフォルメして示す）７ｅが生じた状態となっている。
【００１８】
前記リール本体１には、スプール７を回転駆動するハンドル８が設けられている。本実施形態では、ハンドル８を右側板１Ｂ側に設置しており、右フレーム２ｂと右カバー３ｂとの間には、ハンドル８の回転駆動力をスプール軸５に伝達する公知の動力伝達機構（図示せず）が配設されている。また、右フレーム２ｂと右カバー３ｂとの間には、スプール軸５を動力伝達状態と動力遮断状態に切り換える公知のクラッチ機構が配設されており、このクラッチ機構は、スプール７の後方側の左右側板間に配設されたクラッチ切り換え操作部材９を押し下げ操作することで、クラッチＯＮ状態（動力伝達状態）からＯＦＦ状態（動力遮断状態；スプールフリー回転状態）に切り換えるよう構成されている。なお、クラッチＯＦＦ状態からクラッチＯＮ状態への復帰は公知の復帰機構を介してハンドル８を回転操作することで行うことが可能となっている。
【００１９】
前記左右の側板１Ａ，１Ｂ間には、スプール７の釣糸繰出し方向側に、公知のレベルワインド装置１０が配設されている。このレベルワインド装置１０は、ハンドル８を回転操作することで、釣糸を挿通する釣糸案内体１１が左右に移動するよう構成されており、釣糸の巻き取り操作に伴ってスプール７の糸巻胴部７ａに釣糸を均等に巻回する。
【００２０】
また、反ハンドル側の側板（左側板側）には、釣糸放時に、スプール７に制動力を付与して過回転を防止するスプール制動装置（磁気制動装置）２０が配設されている。
【００２１】
以下、本実施形態におけるスプール制動装置２０の構成について説明する。
スプール制動装置２０は、スプールフリー回転状態でスプール７が過回転した際、磁気作用によって制動力を付与する構成であり、スプール７の回転速度に応じて、その制動力を変化させることが可能となっている。具体的には、本実施形態のスプール制動装置２０は、左側板内に配設される磁石２１と、磁石２１で発生する磁界内に進退される導電体（インダクトロータとも称する）２２を具備する磁場発生部２０ａを備えている。
【００２２】
前記磁石２１は、環状に形成されて径方向内側に配設される内側磁石２１ａと、環状に形成され、内側磁石２１ａに対して隙間Ｇを介して径方向外側に配設される外側磁石２１ｂとを備えており、前記隙間Ｇ内で磁界が発生するように構成されている。また、前記導電体２２は、略円筒状に構成されており、前記内側磁石２１ａと外側磁石２１ｂとの間の隙間Ｇに対して、環部（外側環部）２２ａが進退するように構成されている。なお、前記磁石２１ａ，２１ｂは、そのものがリング形状に構成されたものであっても良いし、多数の磁石を周方向に沿って連続的に配設（リング状に配設）して構成されたものであっても良く、径方向にＮ極とＳ極が着磁された構成となっている。
【００２３】
前記導電体２２の環部２２ａは、後述するカム作用によって、スプール７の回転速度が高まるに連れて、隙間Ｇに対して軸方向に進入するようになっており、スプールが高速回転すると磁場発生部２０ａによって制動力が付与され、スプールの過回転（釣糸のバックラッシュ）が防止される。
なお、図２では、導電体２２の軸方向の移動状態が分かりやすいように、スプール軸５の軸心Ｘに対して上半分は、導電体２２がカム作用によって軸方向外方にシフトして環部２２ａが隙間Ｇ内に入り込んだ状態を示しており、スプール軸５の軸心Ｘに対して下半分は、導電体２２が後述する付勢部材の付勢力によって軸方向内方にシフトして環部２２ａが隙間Ｇから外れた状態を示している。
【００２４】
前記導電体２２の径方向内側には、スプール側に向けて突出する円筒状の環状突起２２ｂが形成されている。この場合、環状突起２２ｂは、スプール軸５を挿通させるように筒状に構成された筒状保持部（以下、導電体の基部とも称する）２３の外周面に一体的に取着されており、この導電体の基部２３は、スプール軸に沿って軸方向に移動可能となっている。すなわち、導電体２２の環部２２ａは、スプールの回転速度に応じて導電体の基部２３と共に軸方向に変位可能（隙間Ｇに対して接近／離反可能）となっており、隙間Ｇ内への侵入量が多いと磁場発生部での磁力が高まって導電体２２に作用する制動力が強くなり、離反することで、その制動力は弱まるようになっている。
【００２５】
なお、導電体の基部２３は、後述する筒状部材に対する摺動性等を考慮して、例えば、ＰＯＭ（ポリアセタール）、ＰＰＳ（ポリフェニレンスルフイド）、ＰＡ（ポリアミド）、ＡＢＳ（アクリロニトリル・ブタジエン・スチレン）、ＰＣ（ポリカーボネート）等の合成樹脂によって一体形成されたものを用いることが好ましい。
【００２６】
前記導電体の基部２３の左フレーム２ａ側には、凹所が形成されており、この凹所の底面に付勢部材（付勢バネ）２５の一端が当て付いている。そして、付勢部材２５の他端は、スプール７の筒状支持部７Ａに固定されたリテーナ２６に当て付けられており、これにより、導電体の基部２３（導電体２２）は、付勢部材２５によって、前記磁界から離れる方向（軸方向スプール側；後述する固定部材３０側）に向けて常時付勢された状態となっている。
【００２７】
前記スプール７の中央環状壁７ｃには、固定部材３０がスプール７と一体回転可能となるように固定されている。この固定部材３０は、前記導電体の基部２３に対して、軸方向で係合（面接）するように構成されており、導電体の基部２３と固定部材３０との係合部分には、軸方向の対向面で互いに面接するカム部４０が形成されている。なお、このカム部４０は、一般的に公知であるため、詳細については省略するが、対向面にそれぞれ螺旋状のカム面を備えており、これらのカム面は、スプール７の回転速度（スプール７と一体回転する固定部材３０の回転速度）に応じて、導電体の基部２３をスプール軸に沿って移動させるような形状となっている。このため、キャスティング時のスプール７の回転速度に応じて、導電体の基部２３（導電体２２の外側環部２２ａ）は、磁石２１に対する相対位置が変更可能に移動する。
【００２８】
具体的には、クラッチ機構をＯＦＦにしてスプール７が釣糸放出方向に回転した際、固定部材３０の回転速度がスプール７と共に速くなるに連れ、カム面に作用する軸方向分力が大きくなり、その軸方向分力が、磁場発生部の磁力が僅かに作用している導電体２２の外環環部２２ａの基部をスプール７側に向けて付勢する付勢部材２５の付勢力よりも大きくなると、導電体の基部２３は左フレーム２ａ側に移動し、上記した環部２２ａは、軸方向に移動して磁石２１の隙間Ｇの奥側に入り込みスプール７の回転に制動力が作用するようになる。また、固定部材３０の回転速度がスプール７と共に低下すると、付勢部材２５の付勢力によって、導電体の基部２３は右フレーム２ｂ側に移動し、上記した環部２２ａは、軸方向に移動して隙間Ｇから軸方向に離反し制動力が弱まるようになる。
すなわち、上記したスプール制動装置によれば、スプール７の回転速度が速くなると制動力が高まり、スプールの回転速度が低下すると制動力が弱くなるように機能する。
【００２９】
この場合、導電体の基部２３及び固定部材３０に形成される各カム面の傾斜角度、付勢部材２５の付勢力などを適宜変形することで、導電体の基部２３の移動量を調整して制動特性を変えることが可能である。また、内側磁石２１ａと外側磁石２１ｂの対向位置を変更することで、スプール回転時に作用する制動力を調整することも可能である。
【００３０】
前記スプール軸５の外方（本実施形態では、スプール軸５に一体回転可能に固着されたスプール７の筒状支持部７Ａの外周）には、表面が平滑化されている筒状部材（カラー）５０が取着されている。この筒状部材５０は、導電体の基部２３とスプール７の筒状支持部７Ａの外周との間に介在するように配設され、前記導電体の基部２３の内周面は、筒状部材５０の外周面に対して軸方向に摺動可能に嵌合されている。
【００３１】
前記筒状部材５０の内周面は、筒状支持部７Ａの外周面に固着されていても良いが、筒状支持部７Ａの外周面に対して圧入されて筒状支持部７Ａと一体回転可能で、かつ、導電体２２と共に筒状支持部７Ａから取り外し可能に取着される程度に緩く圧入していることが好ましい。
スプール軸５の外方（筒状支持部７Ａの外周）に取着される筒状部材５０は、一体回転する構成であれば良く、圧入固定、取り外し可能な圧入、回り止め嵌合等、適宜な方法で取着される。
【００３２】
また、筒状部材５０は、合成樹脂、或いは、合成樹脂以外にも、セラミックス等の成型品で構成しても良い。
このように、導電体の基部２３が軸方向に摺動する筒状部材５０を成型品として構成することで、その外表面は、研磨仕上げを施さなくても平坦状に形成されており、挽目がない状態となっている。
【００３３】
上記したスプール制動装置２０を組み込んだ魚釣用リールによれば、スプール軸５の外周が、筒状部材５０を取着したことで表面が平滑化された状態となっており、この筒状部材５０の外周面に導電体２２の基部２３の内周面を軸方向に摺動させるようにしているため、水（海水）、塵埃等の異物の影響を受けることなく、導電体２２の摺動が良好となり、常時安定した制動性能が得られるようになる。
【００３４】
具体的には、図３に模式的に示すように、軽量金属で形成されるスプール７の筒状支持部７Ａの外表面には、環状の筋となる挽目７ｅが多数形成された状態となっており、この表面に対して、直接、導電体の基部２３の内周面を軸方向に摺動させる構成では、挽目７ｅ間に異物が付着し易い状態となっているため、導電体２３の円滑な摺動が妨げられて安定した制動性能が得られなくなってしまう。
【００３５】
これに対し、本実施形態では、筒状支持部７Ａの外周面に圧入される筒状部材５０の内周面は、外表面が平坦な面５０ａとなる成型品で構成されており、この平坦な面５０ａで導電体の基部２３を摺動させるため、安定した制動性能が得られるようになる。
この場合、筒状部材５０を筒状支持部７Ａに圧入すると、筒状部材の内面が挽目７ｅに線当たり状態となって位置決めされるため、導電体の基部２３が軸方向に摺動しても筒状部材５０は変位することなく、導電体の基部２３を安定して摺動させることができる。
【００３６】
また、筒状部材５０を取り外し可能に取着した構成では、導電体の基部２３の摺動性能が低下するなど、メンテナンスによって部品を交換する必要性が生じた場合に、筒状部材５０のみを交換するだけで済むため、メンテナンス性の向上が図れると共に、メンテナンス費用を安価にすることができる。また、スプール軸５（筒状支持部７Ａ）の外周は、鏡面仕上げする必要もないので、製造工程が簡略化されてコストを低減することが可能になるとともに、筒状部材５０が軸方向に摺動し難くなる。さらに、導電体の基部２３と筒状部材５０を、同種の材料にしたことで、海水などが付着しても電蝕が生じるようも防止され、共に合成樹脂にすることでコストの低減も図れる。
【００３７】
本発明の魚釣用リールは、上記した実施形態に限定されることはなく、種々変形することが可能である。以下、本発明の別の実施形態について説明する。なお、以下の実施形態では、上記した実施形態と同様な構成については、同一の参照符号を付し、詳細な説明については省略する。
【００３８】
図４は、第２実施形態を示す図であり、上記した実施形態とは異なる構成のスプール制動装置を示す図である。
本実施形態のスプール制動装置２０Ａは、導電体２２による制動特性が第１実施形態と異なるように構成されている。具体的には、筒状支持部７Ａの外周に軸方向移動可能に嵌合される筒状部材５０Ａの左フレーム側にフランジ（仕切壁）５０ａを形成しており、フランジ５０ａと導電体の基部２３に形成された凹所との間に第１の付勢部材（付勢バネ）２５Ａを保持している。また、フランジ５０ａとスプール７の筒状支持部７Ａに固定されたリテーナ２６との間に第２の付勢部材（付勢バネ）２５Ｂを保持している。前記第１の付勢部材２５Ａの付勢力（バネ力）は、第２の付勢部材２５Ｂの付勢力（バネ力）よりも大きいものが用いられており、これにより、本実施形態のスプール制動装置２０Ａは、異なる２つの付勢部材２５Ａ，２５Ｂによる制動特性が得られるようにしている。
【００３９】
具体的には、クラッチ機構をＯＦＦにしてスプール７が釣糸放出方向に回転した際、スプール７の回転速度が低いと、付勢力でカム部４０に当接する基部２３は、回転部材３０と一体的に回転しながら左フレーム側に移動して第１の付勢部材２５Ａを介して第２の付勢部材２５Ｂが収縮して比較的小さい制動力がスプールに作用する。この場合、導電体２２の環部２２ａは、隙間Ｇ内に深く入り込まない。また、スプール７の回転速度が高くなると、第２の付勢部材２５Ｂの収縮に加えて更に第１の付勢部材２５Ａが収縮するようになり、導電体２２の環部２２ａが隙間Ｇ内に深く入り込んで大きい制動力がスプールに作用する。
前記筒状部材５０Ａと筒状支持部７Ａ及び基部２３は、夫々、相対的に摺動可能に嵌合されている。
【００４０】
このように、スプール７の回転速度に応じて、異なる付勢力の付勢部材２５Ａ，２５Ｂに起因する制動力が切り替わる構成となっているため、第１の実施形態とは異なる制動特性を得ることが可能となる。なお、付勢部材２５Ａ，２５Ｂの付勢力については変更することが可能であり、軸方向長さについても変更することが可能である（制動特性は種々変形することが可能である）。
【００４１】
そして、このようなスプール制動装置２０Ａにおいても、上記した実施形態と同様、筒状支持部７Ａ（スプール軸５）の表面を鏡面状に仕上げる必要がなくなり、製造工程が簡略化され、コストを低減することが可能となる。また、導電体の基部２３の摺動性能が低下するなど、メンテナンスによって部品を交換する場合は、筒状部材５０Ａのみを交換するだけで済むため、メンテナンス性の向上が図れると共に、メンテナンス費用を安価にすることができる。さらに、導電体の基部２３と筒状部材５０Ａを、同種の材料（合成樹脂）にすることで、海水などが付着しても電蝕が生じることも防止される。
【００４２】
図５は、第３実施形態を示す図であり、遠心カラー方式のスプール制動装置２０Ｂを示している。
遠心カラー方式のスプール制動装置は一般的に公知であるため、詳細な説明は省略するが、スプール制動装置２０Ｂの環状の導電体６２は、基部２３Ｄに一体的に保持されており、半径方向移動部材６０は、スプール７の内側に設けられたテーパ部材７Ｃのテーパ面７ｇに当て付けられている。また、半径方向移動部材６０は、軸方向移動部材（導電体の基部２３Ｄ）の周方向に一定間隔をおいて複数個設けた腕部２３ｅに径方向に移動可能に配設されており、スプール７の回転速度が速くなるに連れて、その遠心力によって腕部２３ｅに沿って径方向外方に移動し、前記テーパ面７ｇに沿って軸方向に変位するようになっている。
スプール軸５の外周には、筒状部材５０Ｂが回り止め嵌合されて、リテーナ２６で抜け止め固定されており、筒状部材５０Ｂの外周に導電体の基部２３Ｄが一体回転可能で軸方向移動可能に嵌合されている。
【００４３】
前記導電体の基部２３Ｄは、左フレーム側に形成された凹所とリテーナ２６との間に配設される付勢部材２５Ｄによって、軸方向スプール側に向けて常時付勢された状態となっている。このため、スプール７と共にスプール軸５の回転速度が速くなると、径方向移動部材６０が径方向外方に移動しつつ、導電体の基部２３Ｄは付勢部材２５Ｄの付勢力に抗して左フレーム側に移動し、上記した導電体６２は、軸方向に移動して磁石２１の隙間Ｇの奥側に入り込みスプール７の回転に制動力が作用するようになる。また、スプール軸５の回転速度がスプール７と共に低下すると、付勢部材２５Ｄの付勢力によって、導電体の基部２３Ｄは右フレーム側に移動し、導電体６２は、軸方向に移動して隙間Ｇから軸方向に離反し制動力が弱まるようになる。
【００４４】
このような構成のスプール制動装置２０Ｂにおいても、スプール軸５の外周に筒状部材５０Ｂを取着したことで、上記した実施形態と同様の作用効果が得られる。
【００４５】
以上、本発明の実施形態について説明したが、本発明は、上記した実施形態に限定されることはなく、種々変形することが可能である。
本発明は、スプール制動装置２０の構成要素である導電体の基部を、スプール軸５やスプールの筒状支持部７Ａに直接、取着するのではなく、表面が平滑化された筒状部材５０（５０Ａ，５０Ｂ）を取着し、筒状部材の外周に摺動可能に嵌合したことに特徴があり、それ以外の構成については、特に限定されることはない。また、スプール制動装置２０の磁場発生部の構成についても、上記した実施形態に限定されることはなく種々変形することが可能である。また、磁石２１と導電体２２，６２の相対位置の変更については、制動特性やリール仕様等に応じて適宜設定することが可能である。
【符号の説明】
【００４６】
１  リール本体
５  スプール軸
７  スプール
７Ａ  筒状支持部
７ａ  糸巻胴部
７ｂ  フランジ部
２０，２０Ａ，２０Ｂ  スプール制動装置
２０ａ  磁場発生部
２１  磁石
２２，６２  導電体
５０，５０Ａ，５０Ｂ  筒状部材
【図１】
2020188733.tif 000003
【図２】
2020188733.tif 000004
【図３】
2020188733.tif 000005
【図４】
2020188733.tif 000006
【図５】
2020188733.tif 000007